(57)【特許請求の範囲】
【請求項１】
ユーザが視聴を所望した番組には、デジタルコピーコントロールディスクリプタがあるか否かを判断する第１の判断手段と、
前記第１の判断手段により前記番組には前記デジタルコピーコントロールディスクリプタがあると判断された場合、前記デジタルコピーコントロールディスクリプタを解析することで、記録に関する制限について解析する解析手段と、
前記第１の判断手段により前記番組には前記デジタルコピーコントロールディスクリプタはないと判断された場合、有料のエレメンタリーストリームがあるか否かを判断する第２の判断手段と、
前記解析手段により、アナログでの記録は追加料金を支払うことにより解除されると解析された場合、アナログでの記録は許可されているが、デジタルでの記録は許可されていないと解析された場合、アナログでの記録もデジタルでの記録も許可されていないと解析された場合、前記第２の判断手段により有料のエレメンタリーストリームがあると判断された場合、または前記第２の判断手段により有料のエレメンタリーストリームはないと判断された場合、それぞれの場合に応じ、そのことをユーザに認識させる画面の表示を制御する表示制御手段と
を備える情報処理装置。
【請求項２】
ユーザが視聴を所望した番組には、デジタルコピーコントロールディスクリプタがあるか否かを判断する第１の判断ステップと、
前記第１の判断ステップの処理で前記番組には前記デジタルコピーコントロールディスクリプタがあると判断された場合、前記デジタルコピーコントロールディスクリプタを解析することで、記録に関する制限について解析する解析ステップと、
前記第１の判断ステップの処理で前記番組には前記デジタルコピーコントロールディスクリプタはないと判断された場合、有料のエレメンタリーストリームがあるか否かを判断する第２の判断ステップと、
前記解析ステップの処理により、アナログでの記録は追加料金を支払うことにより解除されると解析された場合、アナログでの記録は許可されているが、デジタルでの記録は許可されていないと解析された場合、アナログでの記録もデジタルでの記録も許可されていないと解析された場合、前記第２の判断ステップにより有料のエレメンタリーストリームがあると判断された場合、または前記第２の判断ステップにより有料のエレメンタリーストリームはないと判断された場合、それぞれの場合に応じ、そのことをユーザに認識させる画面の表示を制御する表示制御ステップと
を含む情報処理方法。
【請求項３】
ユーザが視聴を所望した番組には、デジタルコピーコントロールディスクリプタがあるか否かを判断する第１の判断ステップと、
前記第１の判断ステップの処理で前記番組には前記デジタルコピーコントロールディスクリプタがあると判断された場合、前記デジタルコピーコントロールディスクリプタを解析することで、記録に関する制限について解析する解析ステップと、
前記第１の判断ステップの処理で前記番組には前記デジタルコピーコントロールディスクリプタはないと判断された場合、有料のエレメンタリーストリームがあるか否かを判断する第２の判断ステップと、
前記解析ステップの処理により、アナログでの記録は追加料金を支払うことにより解除されると解析された場合、アナログでの記録は許可されているが、デジタルでの記録は許可されていないと解析された場合、アナログでの記録もデジタルでの記録も許可されていないと解析された場合、前記第２の判断ステップにより有料のエレメンタリーストリームがあると判断された場合、または前記第２の判断ステップにより有料のエレメンタリーストリームはないと判断された場合、それぞれの場合に応じ、そのことをユーザに認識させる画面の表示を制御する表示制御ステップと
を含むコンピュータが読み取り可能なプログラムが記録されている記録媒体。
【発明の詳細な説明】
【０００１】
【発明の属する技術分野】
本発明は情報処理装置および方法、並びに記録媒体に関し、特に、コピープロテクトがかかったデータをユーザに提供する装置に用いて好適な情報処理装置および方法、並びに記録媒体に関する。
【０００２】
【従来の技術】
近年、画像データや音声データをデジタルデータとして配信するデジタル放送が普及しつつある。デジタル放送を受信する受信装置は、さまざまな装置と接続できるように、複数の出力端子を備えている。例えば、受信したデジタルデータを、他の装置に出力するためのデジタル端子、ＩＥＥＥ１３９４ケーブルが接続される端子、光ケーブルが接続される端子などが備えられている一方で、アナログにしか対応していない装置に対して受信したデータを出力するためのアナログ端子なども備えられている。
【０００３】
配信されるデジタルデータは、テレビジョン受像機用の画像データと音声データ、ラジオ受信機用の音声データ、パーソナルコンピュータやゲーム機などに対してのプログラムなどのデータの３タイプがある。
【０００４】
デジタル放送により配信される、これらのデジタルデータを、記録媒体に一旦記録し、さらに他の記録媒体に複製（コピー）するといった処理を複数回繰り返したとしても、デジタルデータとしての画質や音質が劣化せずに、複数のコピー品を作成することが可能である。このような状況は、著作権の観点から好ましくないため、そのような不正なコピーを防ぐ方法（コピープロテクト）が、配信されるデジタルデータには施されている。
【０００５】
【発明が解決しようとする課題】
上述したように、配信されるデジタルデータ（コンテンツ）には３タイプあり、デジタルデータを受信する受信装置は、複数の端子を備えている。それらのコンテンツのタイプと、出力する端子により、コピープロテクトの動作が異なってくる。図１乃至図３は、３つのコンテンツのタイプによるコピープロテクトについて示した表である。
【０００６】
図１は、テレビジョン受像機用のデジタルデータに対するコピープロテクトに関する表であり、図２は、ラジオ受信機などのデジタル音声サービスを受ける装置用のデジタルデータに対するコピープロテクトに関する表であり、図３は、パーソナルコンピュータなどのプログラムなどのデータサービスを受ける装置用のデジタルデータに対するコピープロテクトに関する表である。
【０００７】
図１乃至図３の各表に示すように、コピープロテクトに関する規定はコンテンツの種類や出力先に適するように規定されている。このため、ユーザに、これらのコピープロテクトに関する情報を、そのまま提供したとしても混乱を与えるだけである。しかし、コピープロテクトに関する情報を与えない場合、ユーザは録画を所望していたのに、コピープロテクトがかかっているために録画できずに、結果として、お金を払ったにも関わらず視聴できないといったようなことが起こることが考えられる。
【０００８】
本発明はこのような状況に鑑みてなされたものであり、コピープロテクトに関する情報を集約し、ユーザにコピープロテクトに関する情報を簡便に提供することを目的とする。
【０００９】
【課題を解決するための手段】
本発明の一側面の情報処理装置は、ユーザが視聴を所望した番組には、デジタルコピーコントロールディスクリプタがあるか否かを判断する第１の判断手段と、前記第１の判断手段により前記番組には前記デジタルコピーコントロールディスクリプタがあると判断された場合、前記デジタルコピーコントロールディスクリプタを解析することで、記録に関する制限について解析する解析手段と、前記第１の判断手段により前記番組には前記デジタルコピーコントロールディスクリプタはないと判断された場合、有料のエレメンタリーストリームがあるか否かを判断する第２の判断手段と、前記解析手段により、アナログでの記録は追加料金を支払うことにより解除されると解析された場合、アナログでの記録は許可されているが、デジタルでの記録は許可されていないと解析された場合、アナログでの記録もデジタルでの記録も許可されていないと解析された場合、前記第２の判断手段により有料のエレメンタリーストリームがあると判断された場合、または前記第２の判断手段により有料のエレメンタリーストリームはないと判断された場合、それぞれの場合に応じ、そのことをユーザに認識させる画面の表示を制御する表示制御手段とを備える。
【００１０】
本発明の一側面の情報処理方法は、ユーザが視聴を所望した番組には、デジタルコピーコントロールディスクリプタがあるか否かを判断する第１の判断ステップと、前記第１の判断ステップの処理で前記番組には前記デジタルコピーコントロールディスクリプタがあると判断された場合、前記デジタルコピーコントロールディスクリプタを解析することで、記録に関する制限について解析する解析ステップと、前記第１の判断ステップの処理で前記番組には前記デジタルコピーコントロールディスクリプタはないと判断された場合、有料のエレメンタリーストリームがあるか否かを判断する第２の判断ステップと、前記解析ステップの処理により、アナログでの記録は追加料金を支払うことにより解除されると解析された場合、アナログでの記録は許可されているが、デジタルでの記録は許可されていないと解析された場合、アナログでの記録もデジタルでの記録も許可されていないと解析された場合、前記第２の判断ステップにより有料のエレメンタリーストリームがあると判断された場合、または前記第２の判断ステップにより有料のエレメンタリーストリームはないと判断された場合、それぞれの場合に応じ、そのことをユーザに認識させる画面の表示を制御する表示制御ステップとを含む。
【００１１】
本発明の一側面の記録媒体のプログラムは、ユーザが視聴を所望した番組には、デジタルコピーコントロールディスクリプタがあるか否かを判断する第１の判断ステップと、前記第１の判断ステップの処理で前記番組には前記デジタルコピーコントロールディスクリプタがあると判断された場合、前記デジタルコピーコントロールディスクリプタを解析することで、記録に関する制限について解析する解析ステップと、前記第１の判断ステップの処理で前記番組には前記デジタルコピーコントロールディスクリプタはないと判断された場合、有料のエレメンタリーストリームがあるか否かを判断する第２の判断ステップと、前記解析ステップの処理により、アナログでの記録は追加料金を支払うことにより解除されると解析された場合、アナログでの記録は許可されているが、デジタルでの記録は許可されていないと解析された場合、アナログでの記録もデジタルでの記録も許可されていないと解析された場合、前記第２の判断ステップにより有料のエレメンタリーストリームがあると判断された場合、または前記第２の判断ステップにより有料のエレメンタリーストリームはないと判断された場合、それぞれの場合に応じ、そのことをユーザに認識させる画面の表示を制御する表示制御ステップとを含む。
【００１２】
本発明においては、ユーザが視聴を所望した番組には、デジタルコピーコントロールディスクリプタがあると判断された場合、デジタルコピーコントロールディスクリプタを解析することで、記録に関する制限について解析され、番組にはデジタルコピーコントロールディスクリプタはないと判断された場合、有料のエレメンタリーストリームがあるか否かが判断される。そしてアナログでの記録は追加料金を支払うことにより解除されると解析された場合、アナログでの記録は許可されているが、デジタルでの記録は許可されていないと解析された場合、アナログでの記録もデジタルでの記録も許可されていないと解析された場合、有料のエレメンタリーストリームがあると判断された場合、または有料のエレメンタリーストリームはないと判断された場合、それぞれの場合に応じ、そのことをユーザに認識させる画面の表示が制御される。
【００１３】
【発明の実施の形態】
以下に、本発明の実施の形態について図面を参照して説明する。図４は、本発明を適用した受信装置の一実施の形態の構成を示す図である。受信装置１０は、ＳＴＢ（Set Top Box）やＩＲＤ（Integrated Receiver Decoder）などである。アンテナ３０により受信されたデジタルデータは受信装置１０のチューナ１１に入力される。チューナ１１は、ユーザにより指示された番組に関するデータを抽出し、デスクランブラ１２に出力する。
【００１４】
デスクランブラ１２は、入力されたデータに対してスクランブルがかかっている場合、かつ、そのスクランブルを解除して良い（正規の契約を交わし、解除キーを保持しているような）場合、スクランブルを解除し、そのデータをストリーム処理部１３に出力する。ストリーム処理部１３は、入力されたデータのうち、ビデオデータをビデオエンコーダ１４に、オーディオデータをオーディオデコーダ１５に出力する。ストリーム処理部１３は、ビデオデータがエンコードされたデータであった場合、そのエンコード方式に対応したデコード処理を入力されたビデオデータに施し、さらに、必要に応じ、OSD（On Screen Display）データを生成し、デコードされたビデオデータに重畳して出力する。
【００１５】
ビデオエンコーダ１４は、入力されたビデオデータに対して、テレビジョン受像機５０に出力する場合、テレビジョン受像機５０に合ったエンコード、例えば、NTSC（National Television System Committee）方式によるエンコード処理を施し、テレビジョン受像機５０に出力する。ストリーム処理部１３による処理が施されたビデオデータは、デジタルデータを扱うコンポーネント５１に対しても出力される。
【００１６】
オーディオデコーダ１５は、入力されたオーディオデータに対して、そのオーディオデータのエンコード方式に対応するデコード処理を行う。オーディオデコーダ１５によりデコード処理されたオーディオデータは、インタフェース１６に出力される。インタフェース１６は、例えば、IEEE1394ケーブル５２と接続され、オーディオデコーダ１５からのオーディオデータを、IEEE1394ケーブル５２に接続された装置に対して出力する。
【００１７】
オーディオデコーダ１５から出力されたオーディオデータは、光ケーブル５３を介して他の装置に対しても出力される。さらに、オーディオデコーダ１５から出力されたオーディオデータは、D/A（Digital／Analog）変換器１７によりアナログデータに変換され、スピーカ５４に出力される。
【００１８】
チューナ１１は、ユーザが指示した番組のデータを抽出する。ユーザは、所望の番組をリモートコントローラ３２やスイッチ３３を用いて選択し、指示を出す。スイッチ３３は、受信装置１０の側面に設けられており、リモートコントローラ３２と、ほぼ同様の指示を出せるようになっている。リモートコントローラ３２は、受信装置１０と、例えば、赤外線などによりデータの授受を行う。
【００１９】
ユーザがリモートコントローラ３２を用いて指示したことに対応するデータは、受信装置１０の受光部１８により受信される。受光部１８により受信されたデータや、スイッチ３３により指示されたことに対応するデータは、表示制御部１９に出力される。表示制御部１９は、受光部１８からのデータ、または、スイッチ３３からのデータを必要に応じ制御部２０に出力すると共に、入力されたデータに従い、表示部２１の表示の制御を行う。
【００２０】
表示部２１は、受信装置１０の側面に設けられており、ユーザが指示したことに対応する処理が実行されていることをユーザに認識させるための表示を行ったり、ユーザに提供する情報の表示を行ったりする。
【００２１】
ＩＣカード３１は、有料の番組を視聴するための契約を行った場合などに、その契約を交わした相手先から提供されるデータが記憶されている。このデータは、例えば、スクランブルを解除するための解除キーなどである。ＩＣカード３１は、カードＩ／Ｆ（インタフェース）２２に装着され、記憶されているデータが読み出される。読み出されたデータは、制御部２０に出力される。
【００２２】
制御部２０は、入力されたデータに基づき、チューナ１１に対して抽出する番組の指示を出したり、デスクランブラ１２に対して解除キーの提供を行ったりする。
【００２３】
図５乃至図７のフローチャートを参照して、ユーザが番組を選局するときの受信装置１０の動作について説明する。ステップＳ１において、ユーザによる選局が開始される。ユーザは、リモートコントローラ３２により、または、スイッチ３３により所望の番組（チャンネル）を選択することができる。ステップＳ２において、ユーザが選択した番組は、視聴可能な番組であるか否かが判断される。
【００２４】
ステップＳ２において視聴可能な番組であると判断された場合、ステップＳ３に進み、ＩＣカード３１にアクセスできたか否かが判断される。ステップＳ２において視聴可能な番組ではないと判断された場合、または、ステップＳ３において、ＩＣカード３１にアクセスできなかったと判断された場合、ステップＳ４に進み、それぞれの状況に応じたメッセージがテレビジョン受像機５０上に表示される。
【００２５】
ステップＳ２において、ユーザが選択した番組は、視聴可能な番組ではないと判断されるときは、例えば、その番組（チャンネル）と契約していない場合などが考えられる。従って、ステップＳ２からステップＳ４に処理が進んだときには、「この番組は契約条件により視聴できません」といったようなメッセージが表示される。
【００２６】
ステップＳ３において、ＩＣカード３１にアクセスできないと判断される場合、ＩＣカード３１がカードＩ／Ｆ２２にセットされていない、または、異なるＩＣカード３１がセットされている場合が考えられる。ＩＣカード３１がカードＩ／Ｆ２２にセットされていないと判断された場合、ステップＳ４においては、「カードを入れてください」といったようなメッセージが表示される。異なるＩＣカード３１がカードＩ／Ｆ２２にセットされていると判断された場合、ステップＳ４においては、「カードとアクセスが成立しません」といったようなメッセージが表示される。
【００２７】
このようなメッセージが表示されると、ユーザは、ＩＣカード３１をセットするために、カードＩ／Ｆ２２の蓋を開けると考えられる。カードＩ／Ｆ２２の蓋が開けられた場合、テレビジョン受像機５０の画面に表示されるメッセージは、「蓋を閉めてください」といったようなメッセージに切り換えられる。ステップＳ４におけるメッセージの表示が終了されると、ステップＳ１に戻り、新たな選局に対して、ステップＳ１以降の処理が繰り返される。
【００２８】
一方、ステップＳ３において、ＩＣカード３１にアクセスできたと判断された場合、ステップＳ５に進み、選択された番組には、視聴するための年齢制限があるか否かが判断される。年齢制限がある番組であると判断された場合、ステップＳ６において、暗証番号の入力画面に表示が切り換えられ、暗証番号の入力待ちの状態となる。
【００２９】
ステップＳ６において、暗証番号が正確に入力されると、ステップＳ７に進む。ステップＳ６において、暗証番号が正確に入力されなかった場合、ステップＳ７には進まず、それ以降の処理は実行されない。
【００３０】
一方、ステップＳ５において、年齢制限がないと判断された場合、ステップＳ６の処理はスキップされ、ステップＳ７に進む。ステップＳ７において、選択された番組は、購入が必要な番組であるか否かが判断される。購入が必要でないと判断される番組は、無料放送の番組や、予め契約済みであると判断される番組である。
【００３１】
ステップＳ７において、ユーザが選択した番組は購入が必要な番組ではないと判断された場合、換言すれば、視聴可能な番組であるので、選局の処理は終了し、選択された番組の表示にテレビジョン受像機５０の画面が切り換えられる。一方、ステップＳ７において、ユーザが選択した番組は購入が必要な番組であると判断された場合、ステップＳ８（図６）に進む。
【００３２】
ステップＳ８において、ユーザが選択した番組は購入時間が過ぎていないか否かが判断される。例えば、ユーザが選択した番組は既に放送時間を過ぎてしまっている過去の番組であるような場合、購入時間が過ぎてしまっていると判断される。ステップＳ８において購入時間が過ぎてしまった番組であると判断された場合、ステップＳ９に進む。
【００３３】
ステップＳ９において、例えば、図８に示すような購入不可をユーザに認識させるためのメッセージがテレビジョン受像機５０の画面上に表示される。このようなメッセージが所定時間だけ表示されると、または、ユーザの所定の操作により、画面が、選局の処理が開始される前に視聴されていたチャンネルに切り換えられる。
【００３４】
一方、ステップＳ８において、購入時間を過ぎてはいないと判断された場合、ステップＳ１０に進み、ユーザが選択した番組に関する情報、例えば、番組名、開始時刻、終了時刻、課金額、番組内容などが、テレビジョン受像機５０の画面上に表示される。そのような表示が行われるとともに、ステップＳ１１において、ユーザが選択した番組には、デジタルコピーコントロールディスクリプタ（digital copy control descriptor）が有るか否かが判断される。以下に、デジタルコピーコントロールディスクリプタの一例を示す。
【００３５】
0004596198.tif 000002
0004596198.tif 000003
【００３６】
このようなディスクリプタに記載されている内容に従って、ステップＳ１２以降の処理が行われる。ステップＳ１２において、コピーコントロールタイプ（copy control type）が０１であるか否かが判断される。コピーコントロールタイプが０１である場合、図１乃至図３からわかるように、何かしら、コピーに対しての制限が存在する。ステップＳ１２において、コピーコントロールタイプが０１ではないと判断された場合、ステップＳ１３に進む。
【００３７】
ステップＳ１３において、サービスタイプがテレビジョンであるか否か、換言すれば、映像データと音声データの提供をするのか否かが判断される。図１乃至図３においては、コンテンツの種類として、図１に示したデジタルTVサービスというのが、ステップＳ１３において、サービスタイプがテレビジョンであると判断される。このステップＳ１３の処理に進む場合は、コピーコントロールタイプが１１，１０，または００であると判断されたときである。
【００３８】
図１からわかるように、テレビジョン受像機に提供されるデータに対して、コピーコントロールタイプが１１，１０，または００のときは、全て出力不可となっている。一方、図２、図３からわかるように、コンテンツの種類がデジタル音声サービス（ラジオなどの提供されるサービス）またはデータサービス（パーソナルコンピュータなどに提供されるサービス）の場合、コピーコントロールタイプが１１のときはコピーに対して制限があり、１０，００のときは、出力不可であるというように、テレビジョン受像機に提供されるデータの場合とは異なっている。
【００３９】
そこで、ステップＳ１３において、サービスタイプがテレビジョンであるか否かが判断され、ステップＳ１４において、コピーコントロールタイプが１１であるか否かが判断される。ステップＳ１３において、サービスタイプがテレビジョンであると判断された場合、または、ステップＳ１４においてコピーコントロールタイプが１１ではないと判断された場合、ステップＳ１５に進む。ステップＳ１５において、テレビジョン受像機５０に受信装置１０が内蔵されている（一体型である）か否かが判断される。
【００４０】
ここで、図１乃至図３において、出力不可というのは、受信装置１０により受信されたデータを受信装置１０に、ケーブルなどを介して外部接続されている他の装置に対しの出力は不可であることを示している。従って、内蔵されている場合などは、内蔵している装置内では、受信したデータを処理することが可能である。
【００４１】
また、ステップＳ１３において、サービスタイプがテレビジョンではないと判断され、ステップＳ１４においてコントロールタイプが１１ではないと判断された場合、ステップＳ１５に進み、受信装置１０が内蔵されたテレビジョン受像機５０であるか否かが判断されるわけだが、これは、サービスタイプがテレビジョンではないようなときでも、例えば、サービスタイプがラジオであるようなときでも、テレビジョン受像機５０から音声だけをユーザに提供することは可能であるため、このような処理手順になる。
【００４２】
ステップＳ１５において、受信装置１０が内蔵された受像機ではないと判断された場合、換言すれば、受信装置１０とテレビジョン受像機５０が外部端子で、ケーブルなどを介して接続されていると判断された場合、ステップＳ１６に進み、図９に示すような視聴できない番組であることをユーザに認識させるためのメッセージが、テレビジョン受像機５０の画面上に表示される。
【００４３】
図９に示したような画面において、”了解”というボタンが操作されると、通常の画面（例えば、選局前の画面）に表示画面が切り換えられる。
【００４４】
一方、ステップＳ１２において、コピーコントロールタイプが０１であると判断された場合、または、ステップＳ１４においてコントロールタイプが１１であると判断された場合、ステップＳ１７に進む。コントロールタイプが０１である場合とコントロールタイプが１１である場合は、コピーに対して何らかの制限が有ることを示している。
【００４５】
ステップＳ１７において、ＣＧＭＳ（digital recording control data）が００であるか否かが判断される。図１乃至図３からわかるように、コントロールタイプ毎に、digital recording control data（ＣＧＭＳ）は、００，１０，０１、および１１の４つのフラグが用意されている。そのうち、ＣＧＭＳが００である場合は、コピー可能であることを示している。
【００４６】
ステップＳ１７において、ＣＧＭＳが００ではないと判断された場合、ステップＳ１８に進み、ＣＧＭＳが１０であるか否かが判断される。ＣＧＭＳが１０である場合、１回だけコピーが可能であることを示している。ステップＳ１８において、ＣＧＭＳが１０ではないと判断された場合、ステップＳ１９に進み、ＡＰＳ（Analog Protection System）が００であるか否かが判断される。
【００４７】
ステップＳ１９において、ＡＰＳが００でないと判断された場合、ステップＳ２０に進み、ＡＰＳが００であると判断された場合、ステップＳ２１に進む。ステップＳ２０においては、図１０に示すように、アナログ、デジタルに関わらず録画は許可されていないということをユーザに認識させるためのメッセージが画面上に表示される。ステップＳ２０の処理には、ステップＳ１５において、受信装置１０が内蔵されたテレビジョン受像機５０であると判断された場合も来る。
【００４８】
ステップＳ２１においては、図１１に示すような画面がテレビジョン受像機５０に表示される。このような画面が表示されるときは、アナログであれば、コピーすることが可能であることを示している。ステップＳ２０またはステップＳ２１における処理が終了されると、ステップＳ２２に進む。ステップＳ２２において、図１０または図１１に示したような画面の内の”取消し”というボタンが操作されたか否かが判断される。ステップＳ２２において、”取消し”というボタンが操作されたと判断された場合、選局処理は終了される。
【００４９】
ステップＳ２２において、”取消し”というボタンが操作されたのではないと判断された場合、換言すれば、ステップＳ２０において表示された図１０に示したような画面において、”視聴のみ”というボタンが操作された、または、ステップＳ２１において表示された図１１に示したような画面において、”了解”というボタンが操作されたと判断された場合、ステップＳ２６（図７）に進む。
【００５０】
一方、ステップＳ１８において、ＣＧＭＳが１０であると判断された場合、ステップＳ２３に進み、追加料金が有るか否かが判断される。ＣＧＭＳが１０であると判断される場合は、図１乃至図３からわかるように、コピーが可能である。ステップＳ２３においては、そのコピー（録画）に対して追加料金がかかるか否か、特にアナログによるコピーに対して追加料金がかかるか否かが判断される。ステップＳ２３において、追加料金は必要ないと判断された場合、ステップＳ２６に進む。ステップＳ２６に処理には、ステップＳ１７において、ＣＧＭＳが００であると判断された場合（コピーは自由であると判断された場合）も進む。
【００５１】
一方、ステップＳ２３において、追加料金が必要であると判断された場合、ステップＳ２４に進み、図１２に示すような録画するには追加料金が必要であるということをユーザに認識させるような表示（図１２に示した例では、”録画する”というボタンに円マーク（￥）が表示されている）がされる。また、図１２に示したように、録画する場合の追加料金の表示も行なわる。
【００５２】
図１２に示したような画面において、ユーザが”取消し”というボタンを操作したか否かがステップＳ２５において判断される。ステップＳ２５において、”取消し”というボタンが操作されたと判断された場合、選局の処理は終了される。ステップＳ２５において、”取消し”ボタンが操作されたのではないと判断された場合、換言すれば、”視聴のみ”というボタンまたは”録画する”というボタンが操作されたと判断された場合、ステップＳ２６に進む。
【００５３】
ステップＳ２６において、有料ＥＳ（エレメンタリーストリーム）があるか否かが判断される。ステップＳ２６において有料ＥＳがあると判断された場合、ステップＳ２７に進み、図１３に示すような選択画面がテレビジョン受像機５０上に表示される。図１３に示した表示例では、番組Ａに対しては、４種類の映像と音声が、それぞれ配信されることがわかる。例えば、映像の種類としては、標準画面サイズ、ワイドビジョンのサイズなどであり、音声の種類としては、日本語、英語などである。
【００５４】
４種類の映像、音声のうち、映像２と音声３は、それぞれ追加料金が必要であることを示す円マークが表示さている。また、選択されたＥＳは、黒丸で、選択されていないＥＳは、白丸で示されている。
【００５５】
画面下側には、”購入”というボタンと”購入取消し”というボタンが設けられている。また、それらのボタンの間には、選択されたＥＳが追加料金を必要とした場合、その追加料金の合計額が表示される。このような画面を参照し、ユーザは、所望のＥＳを選択し、”購入”または”購入取消し”のボタンを操作する。
【００５６】
ステップＳ２８において、”購入取消し”というボタンが操作されたか否かが判断される。”購入取消し”というボタンが操作されたと判断された場合、選局処理は終了され、”購入取消し”というボタンは操作されていないと判断された場合、換言すれば、”購入”というボタンが操作されたと判断された場合、ステップＳ２９に進み、図１４に示すような決定画面が表示される。決定画面は、ユーザに対して、本当に選択した番組を、選択した内容で購入してよいか否かを最終的に確認するための画面である。
【００５７】
ステップＳ３０において、図１４に示したような画面から、ユーザが”取消し”というボタンを操作したか否かが判断される。”取消し”というボタンが操作されたと判断された場合、選局処理は終了される。一方、ステップＳ３０において、”取消し”というボタンが操作されたのではないと判断された場合、換言すれば、”購入する”というボタンが操作されたと判断された場合、ステップＳ３１に進み、購入時間を過ぎているか否かが判断される。
【００５８】
購入時間が過ぎているか否かは、ステップＳ８（図６）においても判断しているが、ステップＳ８以下の処理を行っている間に、購入時間が過ぎてしまうような場合も考えられるため、ステップＳ３１の処理を設ける。ステップＳ３１において、ユーザが購入を決定した番組は、購入時間が過ぎていると判断された場合、ステップＳ９（図６）に戻り、図８に示したような画面が表示され、選局処理は終了される。
【００５９】
一方、ステップＳ３１において、ユーザが購入を決定した番組は、購入時間内であると判断された場合、ステップＳ３２に進み、デスクランブラ可能であるか否かが判断される。ステップＳ３２において、デスクランブラ可能ではないと判断された場合、何らかの制限があるためにデスクランブラが可能ではないので、そのことをユーザに認識させるための表示がステップＳ３３において行われる。ステップＳ３３においては、例えば、図１５または図１６に示したような画面がテレビジョン受像機５０上に表示される。
【００６０】
図１５に示した表示例は、ユーザが購入を決定した番組は、視聴地域の制限がある番組であり、ユーザは、その制限がかかる地域に住んでいるときに表示される画面である。図１６に示した表示例は、ユーザが購入を決定した番組は、契約していないチャンネルの番組である場合、契約していない番組である場合などの、契約条件により視聴（購入）できないときに表示される画面である。このような画面が表示がされ、選局処理が終了される。
【００６１】
一方、ステップＳ３２において、ユーザが購入を決定した番組は、デスクランブラ可能であると判断された場合、ステップＳ３４に進み、カードの上限金額を越えているか否かが判断される。カードとは、例えば、予め有料放送を視聴するときに、その料金を支払うとして契約したクレジットカードや、予め金額を書き込んだＩＣカード３１（図４）である。ステップＳ３４において、それらのカードの上限金額を超えているか否かが判断され、上限金額を超えていると判断された場合、ステップＳ３５に進む。
【００６２】
ステップＳ３５において、図１７に示したようなユーザに上限金額を超えた為に、購入を決定した番組は購入できないことを認識させるためのメッセージが、テレビジョン受像機５０上に表示され、選局処理が終了される。一方、ステップＳ３４において、上限金額が越えていないと判断された場合、ステップＳ３６に進み、図１９に示すような、購入が決定された番組のプレビューが所定時間（例えば、３秒）だけ表示される。また、購入のための手続が完了したことを示すメッセージも表示される。
【００６３】
このようにして、ユーザが所望とする番組が選択される。上述したように、コピープロテクトに関しては、サービスのタイプや、受信したデータを出力する先の装置に応じて規定されているために、複雑であるが、上述したような処理によれば、そのようなコピープロテクトに関する複雑な規定に煩わされることなく、簡便に所望の番組を購入でき、かつ、購入した後で、コピープロテクトがかかっているために録画できずに視聴できないといったような不都合を防ぐことが可能となる。
【００６４】
換言すれば、コピープロテクトに関して、ユーザ側は、図９乃至図１２の４画面のうちの、表示された１画面から、１回だけ操作を行うことにより、コピープロテクトに関する処理は終了してしまうために、簡便に番組の購入ができることになる。
【００６５】
上述した一連の処理は、ハードウェアにより実行させることもできるが、ソフトウェアにより実行させることもできる。一連の処理をソフトウェアにより実行させる場合には、そのソフトウェアを構成するプログラムが専用のハードウェアに組み込まれているコンピュータ、または、各種のプログラムをインストールすることで、各種の機能を実行することが可能な、例えば汎用のパーソナルコンピュータなどに、記録媒体からインストールされる。
【００６６】
この記録媒体は、図１９に示すように、コンピュータとは別に、ユーザにプログラムを提供するために配布される、プログラムが記録されている磁気ディスク１２１（フロッピディスクを含む）、光ディスク１２２（CD-ROM（Compact Disk-Read Only Memory），DVD（Digital Versatile Disk）を含む）、光磁気ディスク１２３（MD（Mini-Disk）を含む）、若しくは半導体メモリ１２４などよりなるパッケージメディアにより構成されるだけでなく、コンピュータに予め組み込まれた状態でユーザに提供される、プログラムが記憶されているROM１０２や記憶部１０８が含まれるハードディスクなどで構成される。
【００６７】
なお、本明細書において、媒体により提供されるプログラムを記述するステップは、記載された順序に従って、時系列的に行われる処理は勿論、必ずしも時系列的に処理されなくとも、並列的あるいは個別に実行される処理をも含むものである。
【００６８】
また、本明細書において、システムとは、複数の装置により構成される装置全体を表すものである。
【００６９】
以上の如く本発明によれば、記録に関する制限について簡便にユーザに提供することが可能となる。
【図面の簡単な説明】
【図１】コピープロテクトに関して説明する図である。
【図２】コピープロテクトに関して説明する図である。
【図３】コピープロテクトに関して説明する図である。
【図４】本発明を適用した受信装置の一実施の形態の構成を示す図である。
【図５】受信装置の動作を説明するフローチャートである。
【図６】図５のフローチャートに続くフローチャートである。
【図７】図６のフローチャートに続くフローチャートである。
【図８】テレビジョン受像機に表示される表示例を示す図である。
【図９】テレビジョン受像機に表示される表示例を示す図である。
【図１０】テレビジョン受像機に表示される表示例を示す図である。
【図１１】テレビジョン受像機に表示される表示例を示す図である。
【図１２】テレビジョン受像機に表示される表示例を示す図である。
【図１３】テレビジョン受像機に表示される表示例を示す図である。
【図１４】テレビジョン受像機に表示される表示例を示す図である。
【図１５】テレビジョン受像機に表示される表示例を示す図である。
【図１６】テレビジョン受像機に表示される表示例を示す図である。
【図１７】テレビジョン受像機に表示される表示例を示す図である。
【図１８】テレビジョン受像機に表示される表示例を示す図である。
【図１９】媒体を説明する図である。
【符号の説明】
１０  受信装置，  １１  チューナ，  １２  デスクランブラ，  １３  ストリーム処理部，  １４  ビデオエンコーダ，  １５  オーディオデコーダ，  １６  インタフェース，  １７  Ｄ／Ａ変換器，  １８  受光部，  １９  表示制御部，  ２０  制御部，  ２１  表示部，  ３２  リモートコントローラ，  ５０  テレビジョン受像機
【図１】
0004596198.tif 000004
【図２】
0004596198.tif 000005
【図３】
0004596198.tif 000006
【図４】
0004596198.tif 000007
【図５】
0004596198.tif 000008
【図６】
0004596198.tif 000009
【図７】
0004596198.tif 000010
【図８】
0004596198.tif 000011
【図９】
0004596198.tif 000012
【図１０】
0004596198.tif 000013
【図１１】
0004596198.tif 000014
【図１２】
0004596198.tif 000015
【図１３】
0004596198.tif 000016
【図１４】
0004596198.tif 000017
【図１５】
0004596198.tif 000018
【図１６】
0004596198.tif 000019
【図１７】
0004596198.tif 000020
【図１８】
0004596198.tif 000021
【図１９】
0004596198.tif 000022